(57)【要約】【課題】  本発明は以上の点を考慮してなされたもので、耳殻の形状及びサイズにかかわらず常に最適な装着感を与えることができるヘッドホン装置を提案する。【解決手段】  スピーカユニットが内蔵されたハウジング部と、耳掛け用に湾曲形状に形成されたハウジング部を支持するための支持部材とを有するヘッドホン装置において、一端が支持部材に固定されると共に他端が当該支持部材に対してスライド自在に取り付けられた軟質の可撓部材を設け、可撓部材の他端を支持部材に対してスライドさせるようにして、ハウジング部を中心とする可撓部材との距離を調整するようにした。【選択図】        図３
2006094006.tif 000002
【特許請求の範囲】
【請求項１】
スピーカユニットが内蔵されたハウジング部と、耳掛け用に湾曲形状に形成された上記ハウジング部を支持するための支持部材とを有するヘッドホン装置において、
一端が上記支持部材に固定されると共に他端が当該支持部材に対してスライド自在に取り付けられた軟質の可撓部材
を具え、
上記可撓部材の他端を上記支持部材に対してスライドさせるようにして、上記ハウジング部を中心とする上記可撓部材との距離を調整する
ことを特徴とするヘッドホン装置。
【請求項２】
上記支持部材における上記可撓部材の他端がスライド可能な範囲を、一般的な人間の耳穴から耳殻の裏側上端の付け根までの距離に基づいて設定した
ことを特徴とする請求項１に記載のヘッドホン装置。
【請求項３】
上記可撓部材は、上記支持部材に対して挿脱自在に取り付けられている
ことを特徴とする請求項１に記載のヘッドホン装置。
【発明の詳細な説明】
【技術分野】
【０００１】
本発明はヘッドホン装置に関し、特に耳掛け型ヘッドホンに適用して好適なものである。
【背景技術】
【０００２】
従来、この種の耳掛け型ヘッドホン１として、図６に示すように、スピーカユニット２が内蔵されたハウジング部３と、当該ハウジング部３を支持するための耳掛け用のハンガー部４とから構成されたものがある（例えば、特許文献１参照）。
【０００３】
この耳掛け型ヘッドホン１のハンガー部４は、全体として耳殻の外形に沿うような湾曲形状のプラスティックや金属等の硬質材でなり、一端がハウジング部３に固定保持されると共に、他端が外部のオーディオプレーヤ（図示せず）から引き出されたコード５に接続されており、当該コード５を内部を通じてスピーカユニット２に導通接続するようになされている。
【０００４】
そしてユーザがこの耳掛け型ヘッドホン１を使用する際には、ハンガー部４を自分の耳殻の裏側付け根に引っ掛けると共に、ハウジング部３を耳穴内に挿入することにより、ユーザの耳に安定して装着するようになされている。
【特許文献１】特開２００３−１１１１８０公報
【発明の開示】
【発明が解決しようとする課題】
【０００５】
ところが、人間の耳のうち耳殻のサイズには大なり小なりの個人差があるため、ハンガー部４の形状が固定された耳掛け型ヘッドホン１では、比較的耳殻の大きい人には圧迫感を感じさせる一方、比較的耳殻の小さい人にはわずかな振動等で脱落するおそれがあった。
【０００６】
ここで図７に示すように、人間の外耳のうち耳殻ＹＳは、１枚の薄い弾性軟骨ＹＳＡとその下部にあって主として脂肪組織からなる耳垂ＹＳＢとが皮膚により覆われた構成でなり、靭帯と筋によって側頭部に付着されている。
【０００７】
この図７において、人間の耳穴（すなわち外耳道）ＹＨの中心位置（点Ｏ）を基準として、耳殻ＹＳの裏側の付け根ＹＲ（破線）までの距離のうち最も長くなるのは、当該中心位置（点Ｏ）の垂直上端における位置（点Ａ）のときであり、水平端における位置（点Ｂ）のときに比べて顕著である。
【０００８】
かかる耳穴ＹＨの中心位置（点Ｏ）から耳殻ＹＳの裏側上端の付け根ＹＲ（点Ａ）までの距離（以下、これを装着基準高さと呼ぶ）は、比較的大きな耳で約３６〔ｍｍ〕程度であり、比較的小さな耳で約２４〔ｍｍ〕程度であることが統計に基づき導き出されている。
【０００９】
このことから従来の耳掛け型ヘッドホン１のハンガー部４（図６）において、装着基準高さを調整することが可能であれば、すべてのサイズの耳に対してハンガー部４が耳殻の裏側付け根に沿わせることができ、比較的小さなサイズの耳に対しても装着性が悪くなるのを防止できる。
【００１０】
しかし、ほとんどの耳掛け型ヘッドホンは、装着基準高さが調整可能であるが、ハンガー部がプラスティックや金属等の硬質材で形成されているため、ハンガー部自体が変形することがなく、あらゆるサイズの耳に完全にフィットするには不十分な問題があった。
【００１１】
さらに上述した特許文献１のように、仮にハンガー部自体が変形するものであっても、それ自体の変形によりユーザの耳殻の裏側付け根に接触する箇所で押圧力に偏りが生じて、ユーザに対して違和感を与えるおそれがあった。
【００１２】
本発明は以上の点を考慮してなされたもので、耳殻の形状及びサイズにかかわらず常に最適な装着感を与えることができるヘッドホン装置を提案しようとするものである。
【課題を解決するための手段】
【００１３】
かかる課題を解決するため本発明においては、スピーカユニットが内蔵されたハウジング部と、耳掛け用に湾曲形状に形成されたハウジング部を支持するための支持部材とを有するヘッドホン装置において、一端が支持部材に固定されると共に他端が当該支持部材に対してスライド自在に取り付けられた軟質の可撓部材を設け、可撓部材の他端を支持部材に対してスライドさせるようにして、ハウジング部を中心とする可撓部材との距離を調整するようにした。
【００１４】
この結果このヘッドホン装置をユーザが耳に装着するにあたって、耳殻の形状及びサイズにかかわらず、当該耳殻の裏側付け根に沿うように可撓部材を接触させることができる。
【発明の効果】
【００１５】
上述のように本発明によれば、スピーカユニットが内蔵されたハウジング部と、耳掛け用に湾曲形状に形成されたハウジング部を支持するための支持部材とを有するヘッドホン装置において、一端が支持部材に固定されると共に他端が当該支持部材に対してスライド自在に取り付けられた軟質の可撓部材を設け、可撓部材の他端を支持部材に対してスライドさせるようにして、ハウジング部を中心とする可撓部材との距離を調整するようにしたことにより、ユーザの耳殻の形状及びサイズにかかわらず、当該耳殻の裏側付け根に沿うように可撓部材を接触させながら装着することができるヘッドホン装置を実現できる。
【発明を実施するための最良の形態】
【００１６】
以下図面について、本発明の一実施の形態を詳述する。
【００１７】
（１）本実施の形態による耳掛け型ヘッドホンの構成
図１（Ａ）及び（Ｂ）において、１０は全体として本実施の形態による耳掛け型ヘッドホンを示し、スピーカユニット１１が内蔵されたハウジング部１２と、当該ハウジング部１２を支持するための耳掛け用の第１及び第２のハンガー部１３、１４とから構成されている。
【００１８】
この第１のハンガー部１３は、硬質のプラスティック材でなる所定径の管材が人間の耳殻の外形に沿うような湾曲形状に成形されたものであり、一端がハウジング部１２に固定保持されると共に、他端が外部のオーディオプレーヤ（図示せず）から引き出されたコード１５に接続されている。
【００１９】
かかる第１のハンガー部１３は、一端及び他端に亘って管内部に貫通孔１３Ｈ（図２（Ｂ））が形成されており、当該貫通孔１３Ｈを通じて外部のオーディオプレーヤ（図示せず）から引き出されたコード１５をハウジング部１２のスピーカユニット１１に導通接続するようになされている。
【００２０】
また第２のハンガー部１４は、軟質の熱可塑性エラストマーでなる所定長の線材が湾曲形状に成形された本体部１４Ａを有し、当該本体部１４Ａの一端が第１のハンガー部１３におけるハウジング部１２に近い部位に固定されると共に、当該本体部１４Ａの他端には所定形状の掛合部１４Ｂが形成されている。この第２のハンガー部１４の掛合部１４Ｂは、第１のハンガー部１３に対して所定範囲内で自由にスライド移動し得るように挿脱自在に取り付けられている。
【００２１】
ここで上述した図７に示すように、人間の耳殻ＹＳにおいて、耳穴ＹＨの中心位置（点Ｏ）から耳殻ＹＳの裏側上端の付け根ＹＲ（点Ａ）までの距離（すなわち装着基準高さ）が、各人の個人差が最も大きく、比較的大きな耳で約３６〔ｍｍ〕程度であり、比較的小さな耳で約２４〔ｍｍ〕程度であることが統計に基づき導き出されている。
【００２２】
このことから第１のハンガー部１３の湾曲形状は、比較的大きな耳である約３６〔ｍｍ〕の装着基準高さに合わせて設定されている。
【００２３】
また第１のハンガー部１３の所定位置には、管材の径が若干短い部位（以下、これを調整部位と呼ぶ）１３Ａが形成されており、当該調整部位１３Ａのうちハウジング部１２に最も近い位置（以下、これを最大調整位置と呼ぶ）１３Ａｍａｘから最も遠い位置（以下、これを最小調整位置と呼ぶ）１３Ａｍｉｎまでの範囲内で第２のハンガー部１４の先端に形成された掛合部１４Ｂがスライド自在に移動し得るようになされている。
【００２４】
この第２のハンガー部１４の掛合部１４Ｂは、図２（Ａ）及びこのＡ−Ａ´線を断面にとった図２（Ｂ）に示すように、スライド方向に沿って切欠き１４ＢＸが形成された断面略Ｃ字状の筒体でなり、当該筒体の内径が第１のハンガー部１３の調整部位１３Ａの外径と同一又は若干小さく設定されている。これにより第２のハンガー部１４の掛合部１４Ｂが第１のハンガー部１３の調整部位１３Ａに対して挿脱自在に取り付けることができると共に、ある程度の摩擦力をもたせながら自由にスライド移動させ得るようになされている。
【００２５】
さらにこの第２のハンガー部１４の本体部１４Ａは、図３（Ａ）に示すように、その掛合部１４Ｂが第１のハンガー部１３の調整部位１３Ａのうち最大調整位置１３Ａｍａｘに位置するときに、ほぼ全体が第１のハンガー部１３の内側面に接触するように湾曲形状及び長さが予め設定されている。
【００２６】
一方、図３（Ｂ）に示すように、第２のハンガー部１４の掛合部１４Ｂを第１のハンガー部１３の調整部位１３Ａにおける最大調整位置１３Ａｍａｘからスライド移動させながら、第２のハンガー部１４の本体部１４Ａの湾曲形状が比較的小さな耳である約２４〔ｍｍ〕の装着基準高さに合うときに、第１のハンガー部１３の調整部位１３Ａにおける最小調整位置１３Ａｍｉｎとなるように、当該最小調整位置１３Ａｍｉｎが予め設定されている。
【００２７】
このように第２のハンガー部１４の掛合部１４Ｂが第１のハンガー部１３の調整部位１３Ａのうち最大調整位置１３Ａｍａｘに位置するときに、当該第２のハンガー部１４の本体部１４Ａの湾曲形状が比較的大きな耳である約３６〔ｍｍ〕の装着基準高さに合う一方（図４（Ａ））、第２のハンガー部１４の掛合部１４Ｂが第１のハンガー部１３の調整部位１３Ａのうち最小調整位置１３Ａｍｉｎに位置するときに、当該第２のハンガー部１４の本体部１４Ａの湾曲形状が比較的小さな耳である約２４〔ｍｍ〕の装着基準高さに合うようになされている（図４（Ｂ））。
【００２８】
（２）本実施の形態による動作及び効果
以上の構成において、この耳掛け型ヘッドホン１０をユーザが装着する際、第１のハンガー部１３を把持しながら第２のハンガー部１４の本体部１４Ａを外耳の耳殻の裏側付け根に当接させると共に、ハウジング部１２を耳穴に挿入させる。
【００２９】
続いてユーザは第１のハンガー部１３の調整部位１３Ａにおける最大調整位置１３Ａｍａｘから最小調整位置１３Ａｍｉｎまでの範囲内で、第２のハンガー部１４の掛合部１４Ｂをその本体部１４Ａが耳殻の裏側付け根に沿って広く接触するようにスライド移動させる。
【００３０】
このとき第２のハンガー部１４の本体部１４Ａが軟質の熱可塑性エラストマーで成形されているため、耳殻の裏側付け根の表面形状にかかわらずに全体に亘ってフィットさせることができる。
【００３１】
これに加えて第２のハンガー部１４の掛合部１４Ｂを、第１のハンガー部１３の調整部位１３Ａに対してスライド移動し得るようにしたことにより、当該掛合部１４Ｂが第１のハンガー部１３に固定されている場合と比較して、第２のハンガー部１４の本体部１４Ａの耳殻の裏側付け根に対して自由度が大きいと同時に接触面積を広く確保することができる。
【００３２】
このようにユーザが耳掛け型ヘッドホン１０を装着するにあたって、ユーザの耳殻の形状及びサイズにかかわらず、当該耳殻の裏側付け根に沿うように第２のハンガー部１４の本体部１４Ａを接触させることができる。
【００３３】
また第１のハンガー部１３の調整部位１３Ａを、一般的な人間の耳穴から耳殻の裏側上端の付け根までの距離に基づいて設定した最大調整位置１３Ａｍａｘから最小調整位置１３Ａｍｉｎまでに制限したことにより、ユーザが耳掛け型ヘッドホンを装着した状態でそのまま指で触れる感覚だけで第２のハンガー部１４の掛合部１４Ｂを所望位置にスライド移動させることができる。
【００３４】
さらに第２のハンガー部１４の掛合部１４Ｂを、第１のハンガー部１３の調整部位１３Ａから挿脱自在に取り付け得るようにしたことにより、必要に応じて取り外して清掃することができ、この結果、第１及び第２のハンガー部１３、１４自体を常に清潔に保つことができる。
【００３５】
以上の構成によれば、この耳掛け型ヘッドホン１０において、一端がハウジング部１２を支持する第１のハンガー部１３に固定され、かつ他端が当該第１のハンガー部１３の調整部位１３Ａに対してスライド移動可能な軟性の熱可塑性エラストマーからなる第２のハンガー部１４を設けるようにしたことにより、ユーザが耳掛け型ヘッドホン１０を装着するにあたって、ユーザの耳殻の形状及びサイズにかかわらず、当該耳殻の裏側付け根に沿うように第２のハンガー部１４の本体部１４Ａを接触させることができ、かくしてユーザに常に最適な装着感を与えることができる耳掛け型ヘッドホン１０を実現できる。
【００３６】
（３）他の実施の形態
なお上述の本実施の形態においては、本発明を、図１（Ａ）及び（Ｂ）に示すような人間の耳穴に挿入するためのスピーカユニット１１が内蔵されたハウジング部１２と、耳掛け用に湾曲形状に形成されたハウジング部１２を支持するための第１のハンガー部（支持部材）１３とを有する耳掛け型ヘッドホン（ヘッドホン装置）１０に適用した場合について述べたが、本発明はこれに限らず、耳穴挿入式の耳掛け型ヘッドホン以外にも耳載せ式の耳掛け型ヘッドホンにも広く適用することができる。
【００３７】
また上述の本実施の形態においては、一端が第１のハンガー部（支持部材）１３に固定されると共に他端が当該第１のハンガー部（支持部材）１３に対してスライド自在に取り付けられた軟質の可撓部材として、熱可塑性エラストマーからなる第２のハンガー部１４を適用した場合について述べたが、本発明はこれに限らず、要は、人間の耳殻の裏側付け根に沿うように可撓することができれば、この他種々の軟質材でなる可撓部材に広く適用することができる。
【００３８】
また第２のハンガー部（可撓部材）１４としては、図１（Ａ）及び（Ｂ）に示すような線材でなる本体部１４Ａの一端に掛合部１４Ｂが形成されたものに限らず、要は、可撓部材の他端を支持部材に対してスライドさせるようにして、ハウジング部を中心とする当該可撓部材との距離を調整することができれば、この他種々の形状の可撓部材を構成するようにしても良い。
【００３９】
さらに上述の本実施の形態においては、第１のハンガー部（支持部材）１３における第２のハンガー部（可撓部材）１４の他端がスライド可能な範囲を、一般的な人間の耳穴から耳殻の裏側上端の付け根までの距離に基づいて設定した場合について述べたが、本発明はこれに限らず、支持部材に対して可撓部材が人間の耳殻の裏側付け根に沿うことができる範囲であれば自由な範囲に設定するようにしても良い。
【００４０】
さらに上述の本実施の形態においては、第２のハンガー部（可撓部材）１４を、図２（Ａ）及び（Ｂ）に示すように第１のハンガー部（支持部材）１３に対して挿脱自在に取り付けた場合について述べたが、本発明はこれに限らず、支持部材に対して可撓部材がスライド自在である限り、可撓部材及び支持部材の形状や構造は自由に設定するようにしても良い。
【００４１】
例えば図２（Ａ）及び（Ｂ）との対応部分に同一符号を付した図５（Ａ）及び（Ｂ）に示す耳掛け型ヘッドホン２０では、第１のハンガー２１の調整部位２１Ａに長手方向に沿ってスライド用突起２１ＡＸが一体成形されている。そして第２のハンガー２２においては、本体部２２Ａの一端が第１のハンガー部２１に固定されると共に、他端に形成された掛合部２２Ｂがスライド用突起２１ＡＸに対して挿脱自在に取り付けることができると共に、ある程度の摩擦力をもたせながら自由にスライド移動させ得るようになされている。
【００４２】
具体的には図５（Ａ）のＢ−Ｂ´線を断面にとった図５（Ｂ）に示すように、スライド方向に沿って切欠き２２ＢＸが形成された断面略Ｃ字状の筒体でなり、当該筒体の内径が第１のハンガー部２１のスライド用突起２１ＡＸの外径と同一又は若干小さく設定されている。このような図５（Ａ）及び（Ｂ）に示す耳掛け型ヘッドホン２０においても上述した本実施の形態による耳掛け型ヘッドホン１０と同様の効果を得ることができる。
【産業上の利用可能性】
【００４３】
本発明は、携帯型のオーディオプレーヤに接続する耳掛け型ヘッドホンのほか、この他、携帯電話や携帯端末等の種々の携帯型の機器に接続する耳掛け型ヘッドホンに広く適用することができる。
【図面の簡単な説明】
【００４４】
【図１】本実施の形態による耳掛け型ヘッドホンの構成を示す略線的な斜視図である。
【図２】本実施の形態による耳掛け型ヘッドホンの構成を示す略線的な側面図及び断面図である。
【図３】第２のハンガー部の可撓状態の説明に供する略線的な側面図である。
【図４】耳掛け型ヘッドホンのユーザの耳への装着状態の説明に供する略線的な側面図である。
【図５】他の実施の形態による耳掛け型ヘッドホンの構成を示す略線的な側面図及び断面図である。
【図６】従来の耳掛け型ヘッドホンの構成を示す略線的な斜視図である。
【図７】人間の耳の外観構成を示す略線図である。
【符号の説明】
【００４５】
１、１０、２０……耳掛け型ヘッドホン、１１……スピーカユニット、１２……ハウジング部、１３、２１……第１のハンガー部、１３Ａ、２１Ａ……調整部位、１３Ａｍａｘ……最大調整位置、１３Ａｍｉｎ……最小調整位置、１４、２２……第２のハンガー部、１４Ａ、２２Ａ……本体部、１４Ｂ、２２Ｂ……掛合部、１４ＢＸ、２２ＢＸ……切欠き、１５……コード。
【図１】
2006094006.tif 000003
【図２】
2006094006.tif 000004
【図３】
2006094006.tif 000005
【図４】
2006094006.tif 000006
【図５】
2006094006.tif 000007
【図６】
2006094006.tif 000008
【図７】
2006094006.tif 000009